(57)【要約】【課題】ピン体に挿入方向と逆方向の力が加わってもリベットが抜けることがなく、リベット本体とピン体の確実な固着構造が得られるリベットを提供する。【解決手段】リベットは、上端部に鍔部23を備えた鋲体22に縦孔24を穿設すると共に、鋲体22の下端から縦孔24の底部24Ａまで延びた縦割溝25を設けて複数個の止片部26，26を形成してなるリベット本体21と、リベット本体21の縦孔24内にその上端から押し込むピン体27とを備え、ピン体27を縦孔24に押し込んで止片部26，26間を拡張する。止片部26の係入部31が係入する凹部32を、ピン体27に設けたから、リベット本体21にピン体27を挿入保持した際、係入部31と凹部32の係合により、ピン体27の挿入先端からの応力に対してリベット本体21にピン体27を強固に保持することができる。【選択図】図１
2011080544.tif 000002
【特許請求の範囲】
【請求項１】
上端部に鍔部を備えた鋲体に縦孔を穿設すると共に、前記鋲体の下端から前記縦孔の底部まで延びた縦割溝を設けて複数個の止片部を形成してなるリベット本体と、前記リベット本体の前記縦孔内にその上端から押し込むピン体とを備え、前記ピン体を前記縦孔に押し込んで前記止片部間を拡張するリベットにおいて、前記止片部の係入部が係入する凹部を、前記ピン体に設けたことを特徴とするリベット。
【請求項２】
前記係入部と前記凹部との係合箇所に複数の係合部を形成したことを特徴とする請求項１記載のリベット。
【請求項３】
前記凹部を前記係入部に対して前記ピン体の長さ方向に長く形成したことを特徴とする請求項１又は２記載のリベット。
【請求項４】
前記係入部の下方に前記縦割溝の幅より大きな逃げ孔を設けたことを特徴とする請求項１〜３のいずれか１項に記載のリベット。
【発明の詳細な説明】
【技術分野】
【０００１】
本発明は、リベットに係り、特にリベット本体にピン体を押し込み、前記リベット本体に形成した止片部を押し広げてかしめ定着するリベットに関するものである。
【背景技術】
【０００２】
従来、この種のピン押し込み拡張式のリベットとしては、図５乃至図７に示すような構造のリベット本体１とピン体７とからなるものがある。すなわち、同図において、１はリベット本体で、該リベット本体１は、円柱状の鋲体２と、その上端に設けた鍔部３とから主に構成されており、前記鋲体２の中心にはその上端から下端近傍まで延びた同一径の縦孔４が穿設されている。
【０００３】
５，５は前記鋲体２の下端からその全長の約１／２まで延びた複数条の縦割溝で、放射状に形成されており、該縦割溝５，５により前記鋲体２の下端には複数個の止片部６，６が形成されている。７は前記リベット本体１と対をなすピン体で、その外径は前記縦孔４の内径より小さく形成したもので、上端にはリベット本体１の前記鍔部３より大径の頭部８を備えており、この頭部８の下面には前記鍔部３を内部に収納できる大きさの凹部９が形成されている。
【０００４】
そこで、このリベットにより複数の物体、例えば二枚の板状体10，11を固着する場合には、上下に重ね合わせた二枚の板状体10，11に同一径としたリベット挿入孔10Ａ，11Ａをそれぞれ形成し、該重ね合わせた二つのリベット挿入孔10Ａ，11Ａ内に、リベット本体１とピン体７を組み立てたリベットをリベット本体１の止片部６の方から挿入する。尚、前記板状体10，11の一方が取付部材であり、他方が被取付部材である。
【０００５】
そして、図６に示すように、リベット本体１の鍔部３が上部の板状体10の上面と面接するところまで差し込んだ後、図７に示すように、ピン体７を頭部８の部分を指で押し込むことにより、その先端部７Ａが縦孔４の底部４Ａを突破する。その結果、各縦割溝５の部分がそれぞれ拡げられて、各止片部６は下部の板状体11の下面で外方向に押し拡げられ、各止片部６の屈曲基部６Ａがリベット挿入孔11Ａの下面周囲をかしめることになる。
【０００６】
而して、上下二枚の板状体10，11は、上方部が前記リベット本体１の鍔部３の下面で、下方部が前記各止片部６の屈曲基部６Ａで夫々挟持されることになり、上下二枚の板状体10，11は一体に固着される。
【先行技術文献】
【特許文献】
【０００７】
【特許文献１】特開平１１−３０３８２７号公報（図６〜図８）
【発明の概要】
【発明が解決しようとする課題】
【０００８】
上記従来技術のリベットでは、ピン体７とリベット本体１とは、その止片部６の内方突出部６Ａで線接触状態で圧接しているに過ぎないため、リベット本体１とピン体７との結合が弱い。そのため、ピン体７の下端に挿入方向と逆方向の力が加わると、ピン体７が上方に移動し、両板状体10，11の緊結状態が弱まったり、ピン体７が抜けたりする虞がある。
【０００９】
そこで、本発明は上記した問題点に鑑み、ピン体に挿入方向と逆方向の力が加わってもリベットが抜けることがなく、リベット本体とピン体の確実な固着構造が得られるリベットを提供することを目的とする。
【課題を解決するための手段】
【００１０】
上記目的を達成するために、請求項１に係る発明は、上端部に鍔部を備えた鋲体に縦孔を穿設すると共に、前記鋲体の下端から前記縦孔の底部まで延びた縦割溝を設けて複数個の止片部を形成してなるリベット本体と、前記リベット本体の前記縦孔内にその上端から押し込むピン体とを備え、前記ピン体を前記縦孔に押し込んで前記止片部間を拡張するリベットにおいて、前記止片部の係入部が係入する凹部を、前記ピン体に設けたことを特徴とする。
【００１１】
また、請求項２に係る発明は、前記係入部と前記凹部との係合箇所に複数の係合部を形成したことを特徴とする。
【００１２】
また、請求項３に係る発明は、前記凹部を前記係入部に対して前記ピン体の長さ方向に長く形成したことを特徴とする。前記係入部の下方に前記縦割溝の幅より大きな逃げ孔を設けたことを特徴とする。
【００１３】
また、請求項４に係る発明は、前記係入部の下方に前記縦割溝の幅より大きな逃げ孔を設けたことを特徴とする。
【発明の効果】
【００１４】
本発明の請求項１に記載のリベットによれば、リベット本体にピン体を挿入保持した際、係入部が凹部に係入することより、ピン体の挿入先端からの応力に対してリベット本体にピン体を強固に保持することができる。
【００１５】
また、本発明の請求項２に記載のリベットによれば、保持精度を向上させて振動などによるガタツキを防止することができる。
【００１６】
また、本発明の請求項３に記載のリベットによれば、保持した際の寸法公差を吸収でき、汎用性を向上することができる。
【００１７】
また、本発明の請求項４に記載のリベットによれば、逃げ孔によりピン体の先端が止片部の内面に当接することを防止でき、係入部と凹部の確実な係入が可能となる。
【図面の簡単な説明】
【００１８】
【図１】本実施例の実施例１を示す固着状態の断面図である。
【図２】同上、固着状態のリベット先端側の拡大断面図である。
【図３】同上、リベット本体を断面にしたリベットの分解正面図である。
【図４】同上、リベット本体にピン体を押し込む工程を示す断面図である。
【図５】従来技術を示すリベット本体を断面にしたリベットの分解正面図である。
【図６】同上、リベット本体にピン体を押し込む工程を示す断面図である。
【図７】同上、固着状態の断面図である。
【発明を実施するための形態】
【００１９】
以下、図面を参照して、本発明の実施例１について説明する。
【実施例１】
【００２０】
図１〜図４に示すように、合成樹脂製のリベットは、リベット本体21とピン体27とを備え、前記リベット本体21は、円柱状の鋲体22と、その上端に設けた鍔部23とから主に構成されており、前記鋲体22の軸心には、基端であるその上端から先端である下側に向け、有底な縦孔24が穿設されると共に、下端から上側に向け、逃げ孔24Ｂを穿設されている。また、前記縦孔24の底部24Ａは凹状の湾曲面に形成され、また、前記逃げ孔24Ｂは前記縦孔24より小径である。
【００２１】
前記リベット本体21には、前記鋲体22の下端から前記底部24Ａの上方まで延びた放射状の縦割溝25，25を形成し、これら縦割溝25，25により前記鋲体22の下端には複数個の止片部26が形成されている。この例では、縦割溝25，25を平面十字形に配置し、４個の止片部26が形成されている。前記ピン体27は前記リベット本体21と対をなし、前記ピン体27の外径は前記縦孔24の内径より小さいが、前記縦割溝25の幅より大きい構成としたものである。尚、この縦割溝25の幅より前記逃げ孔24Ｂの内径は大きく、この逃げ孔24Ｂの内径は前記縦孔24の内径より小さい。前記ピン体27の上端には頭部28が設けられ、この頭部28の先端面である下面は、前記鍔部23の基端面である上面に当接する。
【００２２】
前記止片部26には、前記底部24Ａと前記逃げ孔24Ｂとの間に、凸状の係入部31が内側に向けて突出形成されている。また、前記ピン体27の下端側に、前記係入部31が係入する凹部32が周設され、この凹部32の長さは前記係入部31より長く、その凹部32には、係合部たる複数の周溝部33がピン体27の長さ方向に並んで形成され、前記周溝部33は断面略三角形状をなし、前記係入部31の上角部31Ａが前記周溝部33に係合する。尚、前記ピン体27の下端部27Ａは前記底部24Ａに略対応して凸状の湾曲面に形成されている。また、前記凹部32の下端側段差面32Ａは、前記ピン体27の軸心と略直交し、前記凹部32の上端段差面32Ｂは、下端側に向かって縮小するテーパー面であって、前記ピン体27の軸心と略４５度の角度をなし、この角度は３５〜５５度程度が好ましい。
【００２３】
そこで、使用に際しては従来と同様に、リベット本体21の縦孔24内にピン体27を挿入して両者を一つに組み立てる。そして、前記リベットにより複数の物体、例えば二枚の前記板状体10，11を固着する場合には、上下に重ね合わせた二枚の板状体10，11に同一径としたリベット挿入孔10Ａ，11Ａをそれぞれ形成し、該重ね合わせたこの二つのリベット挿入孔10Ａ，11Ａ内に、リベット本体21とピン体27を組み立てたリベットを、リベット本体21の止片部26の方から挿入する。
【００２４】
図４に示すように、リベット本体21の鍔部23が上部の板状体10の上面と面接するところまで差し込んだ後、ピン体27をその頭部28の部分を指で押し込むことにより、その下端部27Ａは係入部31，31間に進入する。その結果、図１に示すように、前記止片部26は外方向に膨出して、その外周面側は下部の板状体11に形成したリベット挿入孔11Ａの内周面と圧密状態となる。
【００２５】
この状態から更にピン体27を押し込むことにより、その下端部27Ａは係入部31，31間を突破し、各縦割溝25，25の部分がそれぞれ拡げられて、各止片部26は下部の板状体11の下面で外方向に押し拡げられ、各止片部26の屈曲基部26Ａがリベット挿入孔11Ａの下面周囲をかしめることになり、これにより上方部が前記リベット本体21の鍔部23の下面で、下方部が前記各止片部26の屈曲基部26Ａで夫々挟持されて上下二枚の板状体10，11は一体に固着される。
【００２６】
前記固着の際、前記係入部31が凹部32内に嵌って食い込み、該係入部31の上角部31Ａが周溝部33に係合した状態となり、リベット本体21とピン体27において振動などによりガタツキが発生することを防止できる。また、凹部32には周溝部33が長さ方向に並んで複数略等間隔に設けられているため、寸法誤差などによりピン体27の挿入寸法に誤差が生じても、上角部31Ａがいずれかの周溝部33に係合し、さらに、ほぼ凹部32の長さに対応して、異なる合計厚さの板状体10，11の固着にも使用することができる。また、図２に示すように、ピン体７の下端には逃げ孔24Ｂが穿設されているから、ピン体27の下端部に止片部26の下端側が当って干渉することなく、係入部31と凹部32の確実な嵌合状態が得られる。
【００２７】
そして、ピン体７に上方向の力Ｆが掛かった場合、従来は止片部が線接触状態でピン体の外周に圧接しているだけであったから、ピン体がずれる虞があったが、本実施例では、凹部32内に係入部31が嵌るようにして係入しているため、リベット本体21に対して、ピン体27が上方にずれることを防止できる。この場合、ピン体27に上方向の力Ｆが掛かると、凹部32と係入部31の係合により、リベット本体21にも上方向の力が加わり、このようにリベット本体21に上方向の力が加わると、挿入孔11Ａにより止片部26，26間を狭める力が発生し、これにより一層凹部32に係入部31が押し付けられ、嵌合構造が強固となる。
【００２８】
また、図２に示すように、嵌合状態で、係入部31の下角部31Ｂが凹部31内に位置し、具体的には下側段差面32Ｂの外周より内側に位置するから、仮にピン体27だけが上方に移動しても下側段差面32Ｂに下角部31Ｂが係止するため、確実な抜け止め効果が得られる。
【００２９】
このように本実施例では、上端部に鍔部23を備えた鋲体22に縦孔24を穿設すると共に、鋲体22の下端から縦孔24の底部24Ａまで延びた縦割溝25を設けて複数個の止片部26，26を形成してなるリベット本体21と、リベット本体21の縦孔24内にその上端から押し込むピン体27とを備え、ピン体27を縦孔24に押し込んで止片部26，26間を拡張するリベットにおいて、止片部26の係入部31が係入する凹部32を、ピン体27に設けたから、リベット本体21にピン体27を挿入保持した際、係入部31が凹部32に係入することにより、ピン体27の挿入先端からの応力に対してリベット本体21にピン体27を強固に保持することができる。
【００３０】
また、このように本実施例では、係入部31と凹部32との係入部位である凹部32の底部に複数の係合部たる周溝部33を形成したから、保持精度を向上させて振動などによるガタツキを防止することができる。
【００３１】
また、このように本実施例では、凹部32を係入部31に対してピン体27の長さ方向に長く形成したから、保持した際の寸法公差を吸収でき、汎用性を向上することができる。
【００３２】
また、このように本実施例では、係入部31の下方に縦割溝25の幅より大きな逃げ孔24Ｂを設けたから、係入部31と凹部32の係合位置が異なる場合でも、逃げ孔24Ａによりピン体27の先端が止片部27の内面に当接することを防止でき、係入部31と凹部32の確実な係合が可能となる。
【００３３】
尚、本発明は、本実施例に限定されるものではなく、本発明の要旨の範囲内で種々の変形実施が可能である。例えば、逃げ孔は下端側に広がるテーパ状の孔でもよい。また、周溝部の形状は三角形に限らず、上角部が係合すれば台形や四角形など各種形状を採用できる。さらに、上角部と下角部は湾曲した角部でもよい。また、鍔部23と頭部28の構造は、従来例の鍔部３と頭部８の構造でもよい。さらに、凹部の係合部たる周溝部に対応して、係入部の内面に係合部たる周方向の溝部を複数設けてもよい。
【符号の説明】
【００３４】
21  リベット本体
23  鍔部
24  縦孔
24Ａ  底部
24Ｂ  逃げ孔
25  縦割溝
26  止片部
27  ピン体
31  係入部
32  凹部
33  周溝部（係合部）
【図１】
2011080544.tif 000003
【図２】
2011080544.tif 000004
【図３】
2011080544.tif 000005
【図４】
2011080544.tif 000006
【図５】
2011080544.tif 000007
【図６】
2011080544.tif 000008
【図７】
2011080544.tif 000009